(57)【要約】【課題】被写体のプライバシーを保護すると同時に、撮影側のセキュリティを確保することのできるカメラ制御装置、及びカメラ制御方法を提供する。【解決手段】カメラ部１０１による撮影を拒否する被写体の認証登録情報を予め認証登録部１０７に登録し、カメラ部１０１による撮影拒否を希望するか否かの情報を含む認証入力情報が認証入力部１０２に入力されると、認証制御部１０３において該認証入力情報と上記認証登録情報を比較するとともに、認証状況の認証状況記録部１０４への記録を開始する。そして、認証制御部１０３において、該認証入力情報がカメラ部１０１による撮影を拒否する被写体のものである場合、該認証入力情報を認証し、上記カメラ部１０１により撮影された映像信号の記録部１０８への記録を停止するようにした。【選択図】      図１
2004236134.tif 000002
【特許請求の範囲】
【請求項１】
被写体の意思を反映させたカメラ制御を行うカメラ制御装置であって、
カメラによる撮影拒否を希望するか否かの情報を含む認証入力情報を入力する認証入力手段と、
カメラによる撮影を拒否する被写体の認証登録情報が予め登録されている認証登録手段と、
上記認証入力手段で入力された認証入力情報と上記認証登録手段に登録されている認証登録情報とを比較し、該認証入力情報がカメラによる撮影を拒否する被写体のものであるか否かを判断する認証制御手段と、
上記認証制御手段にて上記認証入力情報がカメラによる撮影を拒否する被写体のものであると判断された場合に、上記カメラ手段からの映像信号の出力を制御するカメラ制御手段と、
上記カメラ手段から出力された映像信号を記録する記録手段と、
上記認証入力手段に入力された認証入力情報の認証状況を記録する認証状況記録手段と、を備えた、
ことを特徴とするカメラ制御装置。
【請求項２】
被写体の意思を反映させたカメラ制御を行うカメラ制御装置において、
カメラによる撮影拒否を希望するか否かの情報を含む認証入力情報を入力する認証入力手段と、
カメラによる撮影を拒否する被写体の認証登録情報が予め登録されている認証登録手段と、
上記認証入力手段で入力された認証入力情報と上記認証登録手段に登録されている認証登録情報とを比較し、該認証入力情報がカメラによる撮影を拒否する被写体のものであるか否かを判断する認証制御手段と、
上記認証制御手段にて上記認証入力情報がカメラによる撮影を拒否する被写体のものであると判断された場合に、上記カメラ手段からの映像信号の出力を制御するカメラ制御手段と、
上記カメラ手段から出力された映像信号を表示するモニタと、
上記カメラ手段から出力された映像信号を記録する記録手段と、
上記認証入力手段に入力された認証入力情報の認証状況を記録する認証状況記録手段と、を備えた、
ことを特徴とするカメラ制御装置。
【請求項３】
請求項１に記載のカメラ制御装置において、
上記カメラ制御手段は、
上記認証制御手段にて上記認証入力情報がカメラによる撮影を拒否する被写体のものであると判断された場合に、上記カメラ手段から上記記録手段への映像信号の出力を停止する、
ことを特徴とするカメラ制御装置。
【請求項４】
請求項１に記載のカメラ制御装置において、
上記カメラ制御手段は、
上記認証制御手段にて上記認証入力情報がカメラによる撮影を拒否する被写体のものであると判断された場合に、上記カメラ手段から上記記録手段への映像信号の出力を別の映像信号に差し替える、
ことを特徴とするカメラ制御装置。
【請求項５】
請求項２に記載のカメラ制御装置において、
上記カメラ制御手段は、
上記認証制御手段にて上記認証入力情報がカメラによる撮影を拒否する被写体のものであると判断された場合に、上記カメラ手段から上記モニタへの映像信号の出力を停止する、
ことを特徴とするカメラ制御装置。
【請求項６】
請求項２に記載のカメラ制御装置において、
上記カメラ制御手段は、
上記認証制御手段にて上記認証入力情報がカメラによる撮影を拒否する被写体のものであると判断された場合に、上記カメラ手段から上記モニタへの映像信号の出力を、別の映像信号に差し替える、
ことを特徴とするカメラ制御装置。
【請求項７】
請求項５に記載のカメラ制御装置において、
上記認証制御手段にて上記認証入力情報がカメラによる撮影を拒否する被写体のものであると判断された場合に、上記カメラ手段から上記記録手段への映像信号の出力を停止する、
ことを特徴とするカメラ制御装置。
【請求項８】
請求項６に記載のカメラ制御装置において、
上記認証制御手段にて上記認証入力情報がカメラによる撮影を拒否する被写体のものであると判断された場合に、上記カメラ手段から上記記録手段への映像信号の出力を別の映像信号に差し替える、
ことを特徴とするカメラ制御装置。
【請求項９】
請求項１、または請求項２に記載のカメラ制御装置において、
上記認証状況記録手段は、
上記認証制御手段にて上記認証入力情報がカメラによる撮影を拒否する被写体のものであると判断された場合に、上記認証状況の記録を行う、
ことを特徴とするカメラ制御装置。
【請求項１０】
請求項１、または請求項２に記載のカメラ制御装置において、
上記認証入力手段は、
キー入力により上記認証入力情報を入力する、
ことを特徴とするカメラ制御装置。
【請求項１１】
請求項１、または請求項２に記載のカメラ制御装置において、
上記認証入力手段は、
非接触読み取りにより上記認証入力情報を入力する、
ことを特徴とするカメラ制御装置。
【請求項１２】
請求項１、または請求項２に記載のカメラ制御装置において、
上記認証入力手段は、
個体認証により上記認証入力情報を入力する、
ことを特徴とするカメラ制御装置。
【請求項１３】
請求項１、または請求項２に記載のカメラ制御装置において、
上記認証入力手段は、
非接触読み取りによる入力、キー入力、及び個体認証による入力のうちの、いずれか２つ以上の組み合わせを用いて上記認証入力情報を入力するものである、
ことを特徴とするカメラ制御装置。
【請求項１４】
請求項１１に記載のカメラ制御装置において、
上記認証入力情報は、認証専用のカードに格納されたものである、
ことを特徴とするカメラ制御装置。
【請求項１５】
請求項１１に記載のカメラ制御装置において、
上記認証入力情報は、汎用のカードに格納されたものである、
ことを特徴とするカメラ制御装置。
【請求項１６】
請求項１２、または請求項１３に記載のカメラ制御装置において、
上記個体認証は、声紋認証である、
ことを特徴とするカメラ制御装置。
【請求項１７】
請求項１２、または請求項１３に記載のカメラ制御装置において、
上記個体認証は、顔貌認証である、
ことを特徴とするカメラ制御装置。
【請求項１８】
請求項１２、または請求項１３に記載のカメラ制御装置において、
上記個体認証は、虹彩認証である、
ことを特徴とするカメラ制御装置。
【請求項１９】
請求項１２、または請求項１３に記載のカメラ制御装置において、
上記個体認証は、指紋認証である、
ことを特徴とするカメラ制御装置。
【請求項２０】
請求項１２、または請求項１３に記載のカメラ制御装置において、
上記個体認証は、掌紋認証である、
ことを特徴とするカメラ制御装置。
【請求項２１】
請求項１２、または請求項１３に記載のカメラ制御装置において、
上記個体認証は、網膜認証である、
ことを特徴とするカメラ制御装置。
【請求項２２】
請求項１２、または請求項１３に記載のカメラ制御装置において、
上記個体認証は、
声紋認証、顔貌認証、虹彩認証、指紋認証、掌紋認証、及び網膜認証のうちの、いずれか２つ以上の組み合わせによるものである、
ことを特徴とするカメラ制御装置。
【請求項２３】
請求項１、または請求項２に記載のカメラ制御装置において、
上記認証入力情報は、
予め上記認証登録手段に登録されることにより、半永久的に使用可能なものである、
ことを特徴とするカメラ制御装置。
【請求項２４】
請求項１、または請求項２に記載のカメラ制御装置において、
上記認証入力情報は、
身分証明呈示によって上記認証登録手段に一時的に登録されることにより、一時的に使用可能なものである、
ことを特徴とするカメラ制御装置。
【請求項２５】
被写体の意思を反映させたカメラ制御を行うカメラ制御方法であって、
カメラによる撮影を拒否する被写体の認証登録情報を予め登録し、
カメラによる撮影拒否を希望するか否かの情報を含む認証入力情報が入力されると、該認証入力情報と上記認証登録情報を比較するとともに、上記認証入力情報の認証状況の記録を開始し、
該認証入力情報がカメラによる撮影を拒否する被写体のものである場合、該認証入力情報を認証し、上記カメラにより撮影された映像信号の記録を停止し、
該認証入力情報がカメラによる撮影を拒否する被写体のものでない場合、上記認証状況の記録を停止し、上記カメラにより撮影された映像信号を記録する、
ことを特徴とするカメラ制御方法。
【請求項２６】
被写体の意思を反映させたカメラ制御を行うカメラ制御方法であって、
カメラによる撮影を拒否する被写体の認証登録情報を予め登録し、
カメラによる撮影拒否を希望するか否かの情報を含む認証入力情報が入力されると、該認証入力情報と上記認証登録情報を比較するとともに、上記認証入力情報の認証状況の記録を開始し、
該認証入力情報がカメラによる撮影を拒否する被写体のものである場合、該認証入力情報を認証し、上記カメラにより撮影された映像信号を別の映像信号に差し替えて記録し、
該認証入力情報がカメラによる撮影を拒否する被写体のものでない場合、上記認証状況の記録を停止し、上記カメラにより撮影された映像信号を記録する、
ことを特徴とするカメラ制御方法。
【請求項２７】
被写体の意思を反映させたカメラ制御を行うカメラ制御方法において、
カメラによる撮影を拒否する被写体の認証登録情報を予め登録し、
カメラによる撮影拒否を希望するか否かの情報を含む認証入力情報が入力されると、該認証入力情報と上記認証登録情報を比較するとともに、上記認証入力情報の認証状況の記録を開始し、
該認証入力情報がカメラによる撮影を拒否する被写体のものである場合、該認証入力情報を認証し、上記カメラにより撮影された映像信号のモニタ表示を停止し、
該認証入力情報がカメラによる撮影を拒否する被写体のものでない場合、認証状況の記録を停止し、上記カメラにより撮影された映像信号をモニタ表示する、
ことを特徴とするカメラ制御方法。
【請求項２８】
被写体の意思を反映させたカメラ制御を行うカメラ制御方法であって、
カメラによる撮影を拒否する被写体の認証登録情報を予め登録し、
カメラによる撮影拒否を希望するか否かの情報を含む認証入力情報が入力されると、該認証入力情報と上記認証登録情報を比較するとともに、上記認証入力情報の認証状況の記録を開始し、
該認証入力情報がカメラによる撮影を拒否する被写体のものである場合、該認証入力情報を認証し、上記カメラにより撮影された映像信号を別の映像信号に差し替えてモニタ表示し、
該認証入力情報がカメラによる撮影を拒否する被写体のものでない場合、上記認証状況の記録を停止し、上記カメラにより撮影された映像信号をモニタ表示する、
ことを特徴とするカメラ制御方法。
【請求項２９】
被写体の意思を反映させたカメラ制御を行うカメラ制御方法であって、
カメラによる撮影を拒否する被写体の認証登録情報を予め登録し、
カメラによる撮影拒否を希望するか否かの情報を含む認証入力情報が入力されると、該認証入力情報と上記認証登録情報を比較するとともに、上記認証入力情報の認証状況の記録を開始し、
該認証入力情報がカメラによる撮影を拒否する被写体のものである場合、該認証入力情報を認証し、上記カメラにより撮影された映像信号のモニタ表示、及び記録を停止し、
該認証入力情報がカメラによる撮影を拒否する被写体のものでない場合、上記認証状況の記録を停止し、上記カメラにより撮影された映像信号のモニタ表示、及び記録を行う、
ことを特徴とするカメラ制御方法。
【請求項３０】
被写体の意思を反映させたカメラ制御を行うカメラ制御方法であって、
カメラによる撮影を拒否する被写体の認証登録情報を予め登録し、
カメラによる撮影拒否を希望するか否かの情報を含む認証入力情報が入力されると、該認証入力情報と上記認証登録情報を比較するとともに、上記認証入力情報の認証状況の記録を開始し、
該認証入力情報がカメラによる撮影を拒否する被写体のものである場合、該認証入力情報を認証し、上記カメラにより撮影された映像信号を別の映像信号に差し替えてモニタ表示、及び記録を停止し、
該認証入力情報がカメラによる撮影を拒否する被写体のものでない場合、上記認証状況の記録を停止し、上記カメラにより撮影された映像信号のモニタ表示、及び記録を行う、
ことを特徴とするカメラ制御方法。
【発明の詳細な説明】
【０００１】
【発明の属する技術分野】
本発明は、カメラ制御装置、及びカメラ制御方法に関し、特に、カメラで撮影した映像信号を記録及び／またはモニタに表示するものに関するものである。
【０００２】
【従来の技術】
近年、ビル内や街頭等において監視カメラ等によるセキュリティ管理システムの導入がなされている。こうしたカメラ制御装置を用いれば、カメラの設置場所とは別にモニタが用意され遠隔地でカメラ設置場所の状況を見ることができる。また、カメラで撮影した映像を記録媒体に記録し、後でその記録した映像を見ることも可能である。こうしたカメラ制御装置は、被写体の意志とは関係なく撮影者側から一方的に撮影を行ない、その映像を表示、記録するといったものが一般的である。しかしながら、こうしたカメラ制御装置においては被写体となる者が撮影されたくない場合でも、その意志が反映されず、プライバシー保護という観点で問題があった。
【０００３】
こうした被写体の意志を反映させるカメラ制御装置として、音声入力によりカメラの撮影範囲を変更するカメラ制御装置が挙げられる（例えば、特許文献１参照）。以下に、この従来のカメラ制御装置について図１３を用いて説明する。
【０００４】
図１３は、従来のカメラ制御装置のブロック図である。
この従来のカメラ制御装置は、カメラの近辺に設置されたマイクに対し、被写体となりうる者が撮影拒否を表す内容を告げることで、この発言者が撮影範囲に入らないように撮影方向及び画角を変更する制御を行うものである。
【０００５】
カメラ１３００の近辺にマイク１３０４を設置し、カメラ１３００の被写体となり得る者の音声を入力できるようにする。音声認識装置１３０５は、マイク１３０４からの音声信号を音声認識し、カメラ１３００による撮影を拒否するものか否かを識別し、撮影拒否を示す場合にその内容に対応するカメラ制御コマンドを生成してカメラ制御回路１３０３に印加する。カメラ制御回路１３０３は、このカメラ制御コマンドに応じて、カメラ１３００及び回転台１３０１を制御し、発言者が撮影範囲に入らないように撮影方向及び／又は画角を変更する。これにより被写体となる者の意志をカメラの撮影範囲に反映させることができ、そのプライバシーが保護される。
【０００６】
【特許文献１】
特開２０００−４４３５号公報（［０００７］、図１）
【０００７】
【発明が解決しようとする課題】
しかし、上述の従来のカメラ制御装置では、被写体となり得る者の意志をカメラの撮影範囲に反映させることで、そのプライバシーを保護することができる反面、被写体が悪意をもってカメラの撮影範囲を変更しようとする場合に対処することができないという問題があった。
【０００８】
本発明は、上述のような従来の問題点を解決するためになされたものであり、被写体のプライバシーを保護すると同時に、撮影側のセキュリティを確保することのできるカメラ制御装置、及びカメラ制御方法を提供することを目的とする。
【０００９】
【課題を解決するための手段】
上記課題を解決するために、本発明の請求項１にかかるカメラ制御装置は、被写体の意思を反映させたカメラ制御を行うカメラ制御装置であって、カメラによる撮影拒否を希望するか否かの情報を含む認証入力情報を入力する認証入力手段と、カメラによる撮影を拒否する被写体の認証登録情報が予め登録されている認証登録手段と、上記認証入力手段で入力された認証入力情報と上記認証登録手段に登録されている認証登録情報とを比較し、該認証入力情報がカメラによる撮影を拒否する被写体のものであるか否かを判断する認証制御手段と、上記認証制御手段にて上記認証入力情報がカメラによる撮影を拒否する被写体のものであると判断された場合に、上記カメラ手段からの映像信号の出力を制御するカメラ制御手段と、上記カメラ手段から出力された映像信号を記録する記録手段と、上記認証入力手段に入力された認証入力情報の認証状況を記録する認証状況記録手段と、を備えたことを特徴とするものである。
【００１０】
また、本発明の請求項２にかかるカメラ制御装置は、被写体の意思を反映させたカメラ制御を行うカメラ制御装置において、カメラによる撮影拒否を希望するか否かの情報を含む認証入力情報を入力する認証入力手段と、カメラによる撮影を拒否する被写体の認証登録情報が予め登録されている認証登録手段と、上記認証入力手段で入力された認証入力情報と上記認証登録手段に登録されている認証登録情報とを比較し、該認証入力情報がカメラによる撮影を拒否する被写体のものであるか否かを判断する認証制御手段と、上記認証制御手段にて上記認証入力情報がカメラによる撮影を拒否する被写体のものであると判断された場合に上記カメラ手段からの映像信号の出力を制御するカメラ制御手段と、上記カメラ手段から出力された映像信号を表示するモニタと、上記カメラ手段から出力された映像信号を記録する記録手段と、上記認証入力手段に入力された認証入力情報の認証状況を記録する認証状況記録手段と、を備えたことを特徴とするものである。
【００１１】
また、本発明の請求項３にかかるカメラ制御装置は、請求項１に記載のカメラ制御装置において、上記カメラ制御手段は、上記認証制御手段にて上記認証入力情報がカメラによる撮影を拒否する被写体のものであると判断された場合に上記カメラ手段から上記記録手段への映像信号の出力を停止することを特徴とするものである。
【００１２】
また、本発明の請求項４にかかるカメラ制御装置は、請求項１に記載のカメラ制御装置において、上記カメラ制御手段は、上記認証制御手段にて上記認証入力情報がカメラによる撮影を拒否する被写体のものであると判断された場合に上記カメラ手段から上記記録手段への映像信号の出力を別の映像信号に差し替えることを特徴とするものである。
【００１３】
また、本発明の請求項５にかかるカメラ制御装置は、請求項２に記載のカメラ制御装置において、上記カメラ制御手段は、上記認証制御手段にて上記認証入力情報がカメラによる撮影を拒否する被写体のものであると判断された場合に上記カメラ手段から上記モニタへの映像信号の出力を停止することを特徴とするものである。
【００１４】
また、本発明の請求項６にかかるカメラ制御装置は、請求項２に記載のカメラ制御装置において、上記カメラ制御手段は、上記認証制御手段にて上記認証入力情報がカメラによる撮影を拒否する被写体のものであると判断された場合に上記カメラ手段から上記モニタへの映像信号の出力を、別の映像信号に差し替えることを特徴とするものである。
【００１５】
また、本発明の請求項７にかかるカメラ制御装置は、請求項５に記載のカメラ制御装置において、上記認証制御手段にて上記認証入力情報がカメラによる撮影を拒否する被写体のものであると判断された場合に、上記カメラ手段から上記記録手段への映像信号の出力を停止することを特徴とするものである。
【００１６】
また、本発明の請求項８にかかるカメラ制御装置は、請求項６に記載のカメラ制御装置において、上記認証制御手段にて上記認証入力情報がカメラによる撮影を拒否する被写体のものであると判断された場合に、上記カメラ手段から上記記録手段への映像信号の出力を別の映像信号に差し替えることを特徴とするものである。
【００１７】
また、本発明の請求項９にかかるカメラ制御装置は、請求項１、または請求項２に記載のカメラ制御装置において、上記認証状況記録手段は、上記認証制御手段にて上記認証入力情報がカメラによる撮影を拒否する被写体のものであると判断された場合に上記認証状況の記録を行うことを特徴とするものである。
【００１８】
また、本発明の請求項１０にかかるカメラ制御装置は、請求項１、または請求項２に記載のカメラ制御装置において、上記認証入力手段は、キー入力により上記認証入力情報を入力することを特徴とするものである。
【００１９】
また、本発明の請求項１１にかかるカメラ制御装置は、請求項１、または請求項２に記載のカメラ制御装置において、上記認証入力手段は、非接触読み取りにより上記認証入力情報を入力することを特徴とするものである。
【００２０】
また、本発明の請求項１２にかかるカメラ制御装置は、請求項１、または請求項２に記載のカメラ制御装置において、上記認証入力手段は、個体認証により上記認証入力情報を入力することを特徴とするものである。
【００２１】
また、本発明の請求項１３にかかるカメラ制御装置は、請求項１、または請求項２に記載のカメラ制御装置において、上記認証入力手段は、非接触読み取りによる入力、キー入力、及び個体認証による入力のうちの、いずれか２つ以上の組み合わせを用いて上記認証入力情報を入力するものであることを特徴とするものである。
【００２２】
また、本発明の請求項１４にかかるカメラ制御装置は、請求項１１に記載のカメラ制御装置において、上記認証入力情報は、認証専用のカードに格納されたものであることを特徴とするものである。
【００２３】
また、本発明の請求項１５にかかるカメラ制御装置は、請求項１１に記載のカメラ制御装置において、上記認証入力情報は、汎用のカードに格納されたものであることを特徴とするものである。
【００２４】
また、本発明の請求項１６にかかるカメラ制御装置は、請求項１２、または請求項１３に記載のカメラ制御装置において、上記個体認証は、声紋認証であることを特徴とするものである。
【００２５】
また、本発明の請求項１７にかかるカメラ制御装置は、請求項１２、または請求項１３に記載のカメラ制御装置において、上記個体認証は、顔貌認証であることを特徴とするものである。
【００２６】
また、本発明の請求項１８にかかるカメラ制御装置は、請求項１２、または請求項１３に記載のカメラ制御装置において、上記個体認証は、虹彩認証であることを特徴とするものである。
【００２７】
また、本発明の請求項１９にかかるカメラ制御装置は、請求項１２、または請求項１３に記載のカメラ制御装置において、上記個体認証は、指紋認証であることを特徴とするものである。
【００２８】
また、本発明の請求項２０にかかるカメラ制御装置は、請求項１２、または請求項１３に記載のカメラ制御装置において、上記個体認証は、掌紋認証であることを特徴とするものである。
【００２９】
また、本発明の請求項２１にかかるカメラ制御装置は、請求項１２、または請求項１３に記載のカメラ制御装置において、上記個体認証は、網膜認証であることを特徴とするものである。
【００３０】
また、本発明の請求項２２にかかるカメラ制御装置は、請求項１２、または請求項１３に記載のカメラ制御装置において、上記個体認証は、声紋認証、顔貌認証、虹彩認証、指紋認証、掌紋認証、及び網膜認証のうちの、いずれか２つ以上の組み合わせによるものであることを特徴とするものである。
【００３１】
また、本発明の請求項２３にかかるカメラ制御装置は、請求項１、または請求項２に記載のカメラ制御装置において、上記認証入力情報は、予め上記認証登録手段に登録されることにより、半永久的に使用可能なものであることを特徴とするものである。
【００３２】
また、本発明の請求項２４にかかるカメラ制御装置は、請求項１、または請求項２に記載のカメラ制御装置において、上記認証入力情報は、身分証明呈示によって上記認証登録手段に一時的に登録されることにより、一時的に使用可能なものであることを特徴とするものである。
【００３３】
また、本発明の請求項２５にかかるカメラ制御方法は、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号の記録を停止し、該認証入力情報がカメラによる撮影を拒否する被写体のものでない場合、上記認証状況の記録を停止し、上記カメラにより撮影された映像信号を記録することを特徴とするものである。
【００３４】
また、本発明の請求項２６にかかるカメラ制御方法は、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号を別の映像信号に差し替えて記録し、該認証入力情報がカメラによる撮影を拒否する被写体のものでない場合、上記認証状況の記録を停止し、上記カメラにより撮影された映像信号を記録することを特徴とするものである。
【００３５】
また、本発明の請求項２７にかかるカメラ制御方法は、被写体の意思を反映させたカメラ制御を行うカメラ制御方法において、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号のモニタ表示を停止し、該認証入力情報がカメラによる撮影を拒否する被写体のものでない場合、認証状況の記録を停止し、上記カメラにより撮影された映像信号をモニタ表示することを特徴とするものである。
【００３６】
また、本発明の請求項２８にかかるカメラ制御方法は、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号を別の映像信号に差し替えてモニタ表示し、該認証入力情報がカメラによる撮影を拒否する被写体のものでない場合、上記認証状況の記録を停止し、上記カメラにより撮影された映像信号をモニタ表示することを特徴とするものである。
【００３７】
また、本発明の請求項２９にかかるカメラ制御方法は、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号のモニタ表示、及び記録を停止し、該認証入力情報がカメラによる撮影を拒否する被写体のものでない場合、上記認証状況の記録を停止し、上記カメラにより撮影された映像信号のモニタ表示、及び記録を行うことを特徴とするものである。
【００３８】
また、本発明の請求項３０にかかるカメラ制御方法は、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号を別の映像信号に差し替えてモニタ表示、及び記録を停止し、該認証入力情報がカメラによる撮影を拒否する被写体のものでない場合、上記認証状況の記録を停止し、上記カメラにより撮影された映像信号のモニタ表示、及び記録を行うことを特徴とするものである。
【００３９】
【発明の実施の形態】
以下、本発明の実施の形態について図面を参照しながら説明する。なお、ここで示す実施の形態はあくまでも一例であって、必ずしもこの実施の形態に限定されるものではない。
【００４０】
（実施の形態１）
図１は、本発明の実施の形態１におけるカメラ制御装置のブロック図である。図１に示されるように、本実施の形態１におけるカメラ制御装置は、映像を撮影するカメラ部１０１と、キーを用いてＩＤ及びパスワードを認証入力情報として入力する認証入力部１０２と、予めプライバシーの保護を希望し申請を行なった者のＩＤ、パスワード、及び名前が登録されている認証登録部１０７と、認証入力部１０２で入力された認証入力情報と認証登録部１０７に登録されている認証登録情報とを比較し、両者が一致した場合にはカメラ制御部１０５に対し認証入力情報を認証したことを通知する認証制御部１０３と、認証入力部１０２で入力された認証入力情報、時刻、及びカメラ番号を認証状況として記録する認証状況記録部１０４と、認証制御部１０３から認証入力情報が認証された通知を受け取ると、カメラ部１０１からの映像信号を記録再生制御部１０６に出力するのを停止するカメラ制御部１０５と、映像信号を記録する記録部１０８と、記録部１０８及び認証状況記録部１０４を制御する記録再生制御部１０６とから構成される。
【００４１】
ここで、認証登録部１０７に登録されているＩＤは予め本人に通知されており、パスワードは使用者本人が申し出たものであるものとする。
【００４２】
また、認証入力情報は、ある一定時間、もしくは再度認証入力情報を入力するまで有効であり、認証制御部１０３は、認証入力情報を認証したことを通知してから所定の時間の経過後、もしくは認証入力部１０２への認証入力情報の再入力があったときに、カメラ制御部１０５に対し映像信号の記録再生制御部１０６への出力再開を通知するものとする。
【００４３】
以下に、カメラ制御方法について説明する。
図２は、本発明の実施の形態１におけるカメラ制御方法を説明するためのフローチャートである。
【００４４】
プライバシー保護を希望する者は、予め申請してＩＤを取得し、パスワードを登録しておき、カメラによって撮影される可能性がある場合に、カメラ近傍に設置された認証入力部１０２に認証入力情報であるＩＤとパスワードとを入力する。
【００４５】
認証制御部１０３は、認証入力部１０２に認証入力情報が入力されたか否かを判断する（ステップ２０１）。認証入力情報が入力された場合は、記録再生制御部１０６に、認証状況記録部１０４への認証状況の記録を開始させる（ステップ２０２）。ここで認証状況とは、どのカメラに対しどんな認証入力情報の入力があったかを示し、例えば、カメラ番号、日時、入力された認証入力情報等である。
【００４６】
次に、認証制御部１０３は、入力された認証入力情報が再入力か否かを判断する（ステップ２０３）。再入力でない場合は、入力された認証入力情報と認証登録部１０７に登録されている認証登録情報を比較して（ステップ２０４）、認証入力情報と認証登録情報とが一致するかどうかを判断し（ステップ２０５）、認証入力情報と認証登録情報が一致すれば、認証入力情報が認証されたとして、カメラ制御部１０５に、記録再生制御部１０６への映像信号の出力を停止させ（ステップ２０６）、映像信号の記録を停止する（ステップ２０７）。再入力である場合には、ステップ２１０に進み、認証状況の記録を停止させた後、ステップ２１１でカメラ制御部１０１から記録再生制御部１０６への映像信号の出力を再開させ、ステップ２１２で映像信号の記録を再開した後、ステップ２０１の認証入力情報の入力確認処理に戻る。
【００４７】
また、ステップ２０５において、認証入力情報と認証登録情報とが一致しないと判断した場合には、認証制御部１０３は、認証状況の記録を停止させ（ステップ２１０）、その後、カメラ制御部１０１から記録再生制御部１０６への映像信号の出力を再開させ（ステップ２１１）、映像信号の記録を再開する（ステップ２１２）。
【００４８】
また、ステップ２０１において認証入力情報が入力されてないと判断した場合には、認証制御部１０３は、現在認証状況の記録中であるかどうか、すなわちプライバシー保護の為の映像出力制御が行なわれているか否かを判断する（ステップ２０８）。認証状況の記録中でない場合は再度ステップ２０１の認証入力情報の入力確認処理に戻る。
【００４９】
ステップ２０８において、現在認証状況の記録中である、すなわちプライバシー保護の為の映像出力制御が行なわれていると判断した場合には、認証制御部１０３は、前回認証入力情報が入力されてから一定時間が経過したか否かを判断し（ステップ２０９）、一定時間が経過していない場合には、再度ステップ２０１の認証入力情報の入力確認処理に戻る。一定時間が経過している場合には、ステップ２１０に進み、認証状況の記録を停止させた後、ステップ２１１でカメラ制御部１０１から記録再生制御部１０６への映像信号の出力を再開させ、ステップ２１２で映像信号の記録を再開した後、ステップ２０１の認証入力情報の入力確認処理に戻る。
【００５０】
このように、本実施の形態１によるカメラ制御装置、及びカメラ制御方法は、認証入力部１０２で入力された認証入力情報と認証登録部１０７に登録されている認証登録情報とを比較し、両者が一致した場合に、カメラ部１０１から記録再生制御部１０６への映像信号の出力を停止して、カメラ部１０１からの映像信号の記録部１０８への記録を停止するとともに、そのときの認証状況を認証状況記録部１０４に記録するようにしたので、被写体のプライバシーを保護すると同時に、撮影側のセキュリティを確保することができる。
【００５１】
（実施の形態２）
図３は、本発明の実施の形態２におけるカメラ制御装置のブロック図である。図３に示されるように、本実施の形態２におけるカメラ制御装置は、映像を撮影するカメラ部３０１と、キーを用いてＩＤ及びパスワードを認証入力情報として入力する認証入力部３０２と、予めプライバシーの保護を希望し申請を行なった者のＩＤ、パスワード、及び名前が登録されている認証登録部３０７と、認証入力部３０２で入力された認証入力情報と認証登録部３０７に登録されている認証登録情報とを比較し、両者が一致した場合にはカメラ制御部３０５に対し認証入力情報を認証したことを通知する認証制御部３０３と、認証入力部３０２で入力された認証入力情報、時刻、及びカメラ番号を認証状況として記録する認証状況記録部３０４と、認証制御部３０３から認証入力情報が認証された通知を受け取ると、カメラ部３０１からの映像信号を記録再生制御部３０６に出力するのを停止するとともに、カメラ部３０１からの映像信号とは別の映像信号である代替映像信号を出力するカメラ制御部３０５と、映像信号を記録する記録部３０８と、記録部３０８及び認証状況記録部３０４を制御する記録再生制御部１０６とから構成される。
【００５２】
ここで、認証登録部３０７に登録されているＩＤは予め本人に通知されており、パスワードは使用者本人が申し出たものであるものとする。
また、認証入力情報は、ある一定時間、もしくは再度認証入力情報を入力するまで有効であり、認証制御部３０３は、認証入力情報を認証したことを通知してから所定の時間の経過後、もしくは認証入力部３０２への認証入力情報の再入力があったときに、カメラ制御部３０５に対し映像信号の記録再生制御部３０６への出力再開を通知するものとする。
【００５３】
以下に、カメラ制御方法について説明する。
図４は、本発明の実施の形態２におけるカメラ制御方法を説明するためのフローチャートである。
【００５４】
プライバシー保護を希望する者は、予め申請してＩＤを取得し、パスワードを登録しておき、カメラによって撮影される可能性がある場合に、カメラ近傍に設置された認証入力部３０２に認証入力情報であるＩＤとパスワードとを入力する。
【００５５】
認証制御部３０３は、認証入力部３０２に認証入力情報が入力されたか否かを判断する（ステップ４０１）。認証入力情報が入力された場合は、記録再生制御部３０６に、認証状況記録部３０４への認証状況の記録を開始させる（ステップ４０２）。ここで認証状況とは、どのカメラに対しどんな認証入力情報の入力があったかを示し、例えば、カメラ番号、日時、入力された認証入力情報等である。
【００５６】
次に、認証制御部３０３は、入力された認証入力情報が再入力か否かを判断する（ステップ４０３）。再入力でない場合は、入力された認証入力情報と認証登録部３０７に登録されている認証登録情報を比較して（ステップ４０４）、認証入力情報と認証登録情報とが一致するかどうかを判断し（ステップ４０５）、認証入力情報と認証登録情報が一致すれば、認証入力情報が認証されたとして、カメラ制御部３０５に、カメラ部３０１からの映像信号の出力を停止させ（ステップ４０６）、カメラ制御部３０５は、記録再生制御部３０６に、カメラ部３０１からの映像信号とは別の映像信号である代替映像信号を出力する（ステップ４０７）。再入力である場合は、ステップ４１０に進み、認証状況の記録を停止させた後、ステップ４１１でカメラ制御部３０５から記録再生制御部３０６への映像信号の出力を再開させ、ステップ４１２で映像信号の記録を再開した後、ステップ４０１の認証入力情報の入力確認処理に戻る。
【００５７】
また、ステップ４０５において、認証入力情報と認証登録情報とが一致しないと判断した場合には、認証制御部３０３は、認証状況の記録を停止させ（ステップ４１０）、その後、カメラ制御部３０５から記録再生制御部３０６への代替映像信号の出力を停止させ（ステップ４１１）、カメラ制御部３０５から記録再生制御部３０６への映像信号出力を再開させる（ステップ４１２）。
【００５８】
また、ステップ４０１において認証入力情報が入力されてないと判断した場合には、認証制御部１０３は、現在認証状況の記録中であるかどうか、すなわちプライバシー保護の為の映像出力制御が行なわれているか否かを判断する（ステップ４０８）。認証状況の記録中でない場合は再度ステップ４０１の認証入力情報の入力確認処理に戻る。
【００５９】
ステップ４０８において、現在認証状況の記録中である、すなわちプライバシー保護の為の映像出力制御が行なわれていると判断した場合には、認証制御部３０３は、前回認証入力情報が入力されてから一定時間が経過したか否かを判断し（ステップ４０９）、一定時間が経過していない場合には、再度ステップ４０１の認証入力情報の入力確認処理に戻る。一定時間が経過している場合には、ステップ４１０に進み、認証状況の記録を停止させた後、ステップ４１１でカメラ制御部３０５から記録再生制御部３０６への映像信号の出力を再開させ、ステップ４１２で映像信号の記録を再開した後、ステップ４０１の認証入力情報の入力確認処理に戻る。
【００６０】
このように、本実施の形態２によるカメラ制御装置、及びカメラ制御方法は、認証入力部３０２に入力された認証入力情報と認証登録部３０７に登録されている認証登録情報とを比較し、両者が一致した場合に、カメラ部３０１から記録再生制御部３０６への映像信号の出力を停止し、カメラ部３０１からの映像信号を別の映像信号である代替映像信号に差し替えて記録部３０８に記録するとともに、そのときの認証状況を認証状況記録部３０４に記録するようにしたので、被写体のプライバシーを保護すると同時に、撮影側のセキュリティを確保することができる。
【００６１】
（実施の形態３）
図５は、本発明の実施の形態３におけるカメラ制御装置のブロック図である。
【００６２】
図５に示されるように、本実施の形態３におけるカメラ制御装置は、映像を撮影するカメラ部５０１と、非接触読み取りカードからＩＤを認証入力情報として入力する認証入力部５０２と、予め申請することにより発行された非接触読み取りカードに格納されているＩＤ及び名前が登録されている認証登録部５０７と、認証入力部５０２で入力された認証入力情報と認証登録部５０７に登録されている認証登録情報とを比較し、両者が一致した場合にはカメラ制御部５０５に対し認証入力情報を認証したことを通知する認証制御部５０３と、認証入力部５０２で入力された認証入力情報、時刻、及びカメラ番号を認証状況として記録する認証状況記録部５０４と、認証制御部５０３から認証入力情報が認証された通知を受け取ると、カメラ部５０１からの映像信号をモニタ５０９に出力するのを停止するカメラ制御部５０５と、認証状況記録部５０４を制御する記録再生制御部５０６と、カメラ部５０１から出力された映像信号を記録する記録部５０８と、映像を表示するモニタ５０９とから構成される。
【００６３】
ここで、認証入力情報は、ある一定時間、もしくは再度認証入力情報を入力するまで有効であり、認証制御部５０３は、認証入力情報を認証したことを通知してから所定の時間の経過後、もしくは認証入力部５０２への認証入力情報の再入力があった場合には、カメラ制御部５０５に対し映像信号のモニタ５０９への出力再開を通知するものとする。
【００６４】
以下に、カメラ制御方法について説明する。
図６は、本発明の実施の形態３におけるカメラ制御方法を説明するためのフローチャートである。
【００６５】
プライバシー保護を希望する者は、予め申請して認証専用の非接触読み取りカードを受け取っておき、カメラによって撮影される可能性がある場合に、このカードを携帯する。このカードはカメラ近傍に設置された認証入力部５０２に対し認証入力情報であるＩＤを送信する。
【００６６】
認証制御部５０３は、認証入力部５０２に認証入力情報が入力されたか否かを判断する（ステップ６０１）。認証入力情報が入力された場合は、記録再生制御部５０６に、認証状況記録部５０４への認証状況の記録を開始させる（ステップ６０２）。ここで認証状況とは、どのカメラに対しどんな認証入力情報の入力があったかを示し、例えば、カメラ番号、日時、入力された認証入力情報等である。
【００６７】
次に、認証制御部５０３は、入力された認証入力情報が再入力か否かを判断する（ステップ６０３）。再入力でない場合は、入力された認証入力情報と認証登録部５０７に登録されている認証登録情報を比較して（ステップ６０４）、認証入力情報と認証登録情報とが一致するかどうかを判断し（ステップ６０５）、認証入力情報と認証登録情報が一致すれば、認証入力情報が認証されたとして、カメラ制御部５０５に、モニタ５０９への映像信号の出力を停止させる（ステップ６０６）。このとき、記録再生制御部５０６への映像信号はそのまま出力され、該映像信号の記録部５０８への記録は継続される。再入力である場合には、ステップ６０９に進み、認証状況の記録を停止させた後、ステップ６１０でカメラ制御部５０５からモニタ５０９への映像信号の出力を再開させ、ステップ６０１の認証入力情報の入力確認処理に戻る。
【００６８】
また、ステップ６０５において、認証入力情報と認証登録情報とが一致しないと判断した場合には、認証制御部５０３は、認証状況の記録を停止させ（ステップ６０９）、その後、カメラ制御部５０５からモニタ５０９への映像信号の出力を再開させる（ステップ６１０）。
【００６９】
また、ステップ６０１において認証入力情報が入力されてないと判断した場合には、認証制御部５０３は、現在認証状況の記録中であるかどうか、すなわちプライバシー保護の為の映像出力制御が行なわれているか否かを判断する（ステップ６０７）。認証状況の記録中でない場合は再度ステップ６０１の認証入力情報の入力確認処理に戻る。
【００７０】
ステップ６０７において、現在認証状況の記録中である、すなわちプライバシー保護の為の映像出力制御が行なわれていると判断した場合には、認証制御部５０３は、前回認証入力情報が入力されてから一定時間が経過したか否かを判断し（ステップ６０８）、一定時間が経過していない場合には、再度ステップ６０１の認証入力情報の入力確認処理に戻る。一定時間が経過している場合には、ステップ６０９に進み、認証状況の記録を停止させた後、ステップ６１０でカメラ制御部５０１からモニタ５０９への映像信号の出力を再開させ、ステップ６０１の認証入力情報の入力確認処理に戻る。
【００７１】
このように、本実施の形態３によるカメラ制御装置、及びカメラ制御方法は、認証入力部５０２に入力された認証入力情報と認証登録部５０７に登録されている認証登録情報とを比較し、両者が一致した場合に、カメラ部５０１からの映像信号をモニタ５０９に出力するのを停止するとともに、そのときの認証状況を認証状況記録部５０４に記録するようにしたので、被写体のプライバシーを保護すると同時に、撮影側のセキュリティを確保することができる。
【００７２】
（実施の形態４）
図７は、本発明の実施の形態４におけるカメラ制御装置のブロック図である。図７に示されるように、本実施の形態３におけるカメラ制御装置は、映像を撮影するカメラ部７０１と、非接触読み取りカードからＩＤを認証入力情報として入力する認証入力部７０２と、予め申請することにより発行された非接触読み取りカードに格納されているＩＤ及び名前が登録されている認証登録部７０７と、認証入力部７０２で入力された認証入力情報と認証登録部７０７に登録されている認証登録情報とを比較し、両者が一致した場合にはカメラ制御部７０５に対し認証入力情報を認証したことを通知する認証制御部７０３と、認証入力部７０２で入力された認証入力情報、時刻、及びカメラ番号を認証状況として記録する認証状況記録部７０４と、認証制御部７０３から認証入力情報が認証された通知を受け取ると、カメラ部７０１からの映像信号をモニタ７０９に出力するのを停止するとともに、カメラ部７０１からの映像信号とは別の映像信号である代替映像信号を出力するカメラ制御部７０５と、認証状況記録部７０４を制御する記録再生制御部７０６と、カメラ部７０１から出力された映像信号を記録する記録部７０８と、映像を表示するモニタ７０９とから構成される。
【００７３】
ここで、認証入力情報は、ある一定時間、もしくは再度認証入力情報を入力するまで有効であり、認証制御部７０３は、認証入力情報を認証したことを通知してから所定の時間の経過後、もしくは認証入力部７０２への認証入力情報の再入力があった場合には、カメラ制御部７０５に対し映像信号のモニタ７０９への出力再開を通知するものとする。
【００７４】
以下に、カメラ制御方法について説明する。
図８は、本発明の実施の形態４におけるカメラ制御方法を説明するためのフローチャートである。
プライバシー保護を希望する者は、予め申請して認証専用の非接触読み取りカードを受け取っておき、カメラによって撮影される可能性がある場合に、このカードを携帯する。このカードはカメラ近傍に設置された認証入力部７０２に対し認証入力情報であるＩＤを送信する。
【００７５】
認証制御部７０３は、認証入力部７０２に認証入力情報が入力されたか否かを判断する（ステップ８０１）。認証入力情報が入力された場合は、記録再生制御部７０６に、認証状況記録部７０４への認証状況の記録を開始させる（ステップ８０２）。ここで認証状況とは、どのカメラに対しどんな認証入力情報の入力があったかを示し、例えば、カメラ番号、日時、入力された認証入力情報等である。
【００７６】
次に、認証制御部７０３は、入力された認証入力情報が再入力か否かを判断する（ステップ８０３）。再入力でない場合は、入力された認証入力情報と認証登録部７０７に登録されている認証登録情報を比較して（ステップ８０４）、認証入力情報と認証登録情報とが一致するかどうかを判断し（ステップ８０５）、認証入力情報と認証登録情報が一致すれば、認証入力情報が認証されたとして、カメラ制御部７０５に、モニタ７０９への映像信号の出力を停止させて（ステップ８０６）、カメラ部７０１からの映像信号とは別の映像信号である代替映像信号を出力させる（ステップ８０７）。このとき、記録再生制御部７０６への映像信号はそのまま出力され、該映像信号の記録部７０８への記録は継続される。再入力である場合、ステップ８１０に進み、認証状況の記録を停止させた後、ステップ８１１でカメラ制御部７０５からモニタ７０９への代替映像信号の出力を停止させ、さらにステップ８１２で映像信号の出力を再開させて、ステップ８０１の認証入力情報の入力確認処理に戻る。
【００７７】
また、ステップ８０５において、認証入力情報と認証登録情報とが一致しないと判断した場合には、認証制御部７０３は、認証状況の記録を停止させ（ステップ８１０）、その後、カメラ制御部７０５に代替映像信号の出力を停止させ（ステップ８１１）、モニタ７０９への映像信号の出力を再開させる（ステップ８１２）。
【００７８】
また、ステップ８０１において認証入力情報が入力されてないと判断した場合には、認証制御部７０３は、現在認証状況の記録中であるかどうか、すなわちプライバシー保護の為の映像出力制御が行なわれているか否かを判断する（ステップ８０８）。認証状況の記録中でない場合は再度ステップ８０１の認証入力情報の入力確認処理に戻る。
【００７９】
ステップ８０８において、現在認証状況の記録中である、すなわちプライバシー保護の為の映像出力制御が行なわれていると判断した場合には、認証制御部７０３は、前回認証入力情報が入力されてから一定時間が経過したか否かを判断し（ステップ８０９）、一定時間が経過していない場合には、再度ステップ８０１の認証入力情報の入力確認処理に戻る。一定時間が経過している場合には、ステップ８１０に進み、認証状況の記録を停止させた後、ステップ８１１でカメラ制御部７０５からモニタ７０９への代替映像信号の出力を停止させ、さらにステップ８１２で映像信号の出力を再開させて、ステップ８０１の認証入力情報の入力確認処理に戻る。
【００８０】
このように、本実施の形態４によるカメラ制御装置、及びカメラ制御方法は、認証入力部７０２に入力された認証入力情報と認証登録部７０７に登録されている認証登録情報とを比較し、両者が一致した場合に、カメラ部７０１からの映像信号をモニタ７０９に出力するのを停止し、カメラ部７０１からの映像信号を別の映像信号である代替映像信号に差し替えて表示するとともに、そのときの認証状況を認証状況記録部７０４に記録するようにしたので、被写体のプライバシーを保護すると同時に、撮影側のセキュリティを確保することができる。
【００８１】
（実施の形態５）
図９は、本発明の実施の形態５におけるカメラ制御装置のブロック図である。
図９に示されるように、本実施の形態５におけるカメラ制御装置は、映像を撮影するカメラ部９０１と、非接触読み取りカードからＩＤを認証入力情報として入力する認証入力部９０２と、予め申請することにより発行された非接触読み取りカードに格納されているＩＤ及び名前が登録されている認証登録部９０７と、認証入力部９０２で入力された認証入力情報と認証登録部９０７に登録されている認証登録情報とを比較し、両者が一致した場合にはカメラ制御部９０５に対し認証入力情報を認証したことを通知する認証制御部９０３と、認証入力部９０２で入力された認証入力情報、時刻、及びカメラ番号を認証状況として記録する認証状況記録部９０４と、認証制御部９０３から認証入力情報が認証された通知を受け取ると、カメラ部９０１からの映像信号を記録再生制御部９０６及びモニタ９０９に出力するのを停止するカメラ制御部９０５と、映像信号を記録する記録部９０８と、記録部９０８及び認証状況記録部９０４を制御する記録再生制御部９０６と、映像を表示するモニタ９０９とから構成される。
【００８２】
ここで、認証入力情報は、ある一定時間、もしくは再度認証入力情報を入力するまで有効であり、認証制御部９０３は、認証入力情報を認証したことを通知してから所定の時間の経過後、もしくは認証入力部９０２への認証入力情報の再入力があった場合には、カメラ制御部９０５に対し映像信号の、記録再生制御部９０６及びモニタ９０９への出力再開を通知するものとする。
【００８３】
以下に、カメラ制御方法について説明する。
図１０は、本発明の実施の形態５におけるカメラ制御方法を説明するためのフローチャートである。
プライバシー保護を希望する者は、予め申請して認証専用の非接触読み取りカードを受け取っておき、カメラによって撮影される可能性がある場合に、このカードを携帯する。このカードはカメラ近傍に設置された認証入力部９０２に対し認証入力情報であるＩＤを送信する。
【００８４】
認証制御部９０３は、認証入力部９０２に認証入力情報が入力されたか否かを判断する（ステップ１００１）。認証入力情報が入力された場合は、記録再生制御部９０６に、認証状況記録部９０４への認証状況の記録を開始させる（ステップ１００２）。ここで認証状況とは、どのカメラに対しどんな認証入力情報の入力があったかを示し、例えば、カメラ番号、日時、入力された認証入力情報等である。
【００８５】
次に、認証制御部９０３は、入力された認証入力情報が再入力か否かを判断する（ステップ１００３）。再入力でない場合は、入力された認証入力情報と認証登録部９０７に登録されている認証登録情報を比較して（ステップ１００４）、認証入力情報と認証登録情報とが一致するかどうかを判断し（ステップ１００５）、認証入力情報と認証登録情報が一致すれば、認証入力情報が認証されたとして、カメラ制御部９０５に、モニタ９０９への映像信号の出力を停止させ（ステップ１００６）、記録再生制御部９０６への映像信号の出力を停止させ（ステップ１００７）、映像信号の記録を停止させる（ステップ１００８）。再入力である場合は、ステップ１０１１に進み、認証状況の記録を停止させ、ステップ１０１２でモニタ９０９への映像信号の出力を再開させ、ステップ１０１３で記録再生制御部９０６への映像信号の出力を再開させ、ステップ１０１４で映像信号の記録を再開させた後、ステップ１００１の認証入力情報の入力確認処理に戻る。
【００８６】
また、ステップ１００５において、認証入力情報と認証登録情報とが一致しないと判断した場合には、認証制御部９０３は、認証状況の記録を停止させ（ステップ１０１１）、その後、カメラ制御部９０５からモニタ９０９への映像信号の出力を再開させ（ステップ１０１２）、記録再生制御部９０６への映像信号の出力を再開させ（ステップ１０１３）、映像信号の記録を再開させる（ステップ１０１４）。
【００８７】
また、ステップ１００１において認証入力情報が入力されてないと判断した場合には、認証制御部９０３は、現在認証状況の記録中であるかどうか、すなわちプライバシー保護の為の映像出力制御が行なわれているか否かを判断する（ステップ１００９）。認証状況の記録中でない場合は再度ステップ１００１の認証入力情報の入力確認処理に戻る。
【００８８】
ステップ１００９において、現在認証状況の記録中である、すなわちプライバシー保護の為の映像出力制御が行なわれていると判断した場合には、認証制御部９０３は、前回認証入力情報が入力されてから一定時間が経過したか否かを判断し（ステップ１０１０）、一定時間が経過していない場合には、再度ステップ１００１の認証入力情報の入力確認処理に戻る。一定時間が経過している場合には、ステップ１０１１に進み、認証状況の記録を停止させ、ステップ１０１２でモニタ９０９への映像信号の出力を再開させ、ステップ１０１３で記録再生制御部９０６への映像信号の出力を再開させ、ステップ１０１４で映像信号の記録を再開させた後、ステップ１００１の認証入力情報の入力確認処理に戻る。
【００８９】
このように、本実施の形態５によるカメラ制御装置、及びカメラ制御方法は、認証入力部９０２で入力された認証入力情報と認証登録部９０７に登録されている認証登録情報とを比較し、両者が一致した場合に、カメラ部９０１からの映像信号を記録再生制御部９０６及びモニタ９０９に出力するのを停止して、映像信号の記録部９０８への記録を停止するとともに、そのときの認証状況を認証状況記録部９０４に記録するようにしたので、被写体のプライバシーを保護すると同時に、撮影側のセキュリティを確保することができる。
【００９０】
（実施の形態６）
図１１は、本発明の実施の形態６におけるカメラ制御装置のブロック図である。
図１１に示されるように、本実施の形態６におけるカメラ制御装置は、映像を撮影するカメラ部１１０１と、非接触読み取りカードからＩＤを認証入力情報として入力する認証入力部１１０２と、予め申請することにより発行された非接触読み取りカードに格納されているＩＤ及び名前が登録されている認証登録部１１０７と、認証入力部１１０２で入力された認証入力情報と認証登録部１１０７に登録されている認証登録情報とを比較し、両者が一致した場合にはカメラ制御部１１０５に対し認証入力情報を認証したことを通知する認証制御部１１０３と、認証入力部１１０２で入力された認証入力情報、時刻、及びカメラ番号を認証状況として記録する認証状況記録部１１０４と、認証制御部１１０３から認証入力情報が認証された通知を受け取ると、カメラ部１１０１からの映像信号を記録再生制御部１１０６及びモニタ１１０９に出力するのを停止するとともに、カメラ部１１０１からの映像信号とは別の映像信号である代替映像信号を出力するカメラ制御部１１０５と、映像信号を記録する記録部１１０８と、記録部１１０８及び認証状況記録部１１０４を制御する記録再生制御部１１０６と、映像を表示するモニタ１１０９とから構成される。
【００９１】
ここで、認証入力情報は、ある一定時間、もしくは再度認証入力情報を入力するまで有効であり、認証制御部１１０３は、認証入力情報を認証したことを通知してから所定の時間の経過後、もしくは認証入力部１１０２への認証入力情報の再入力があった場合には、カメラ制御部１１０５に対し映像信号の、記録再生制御部１１０６及びモニタ１１０９への出力再開を通知するものとする。
【００９２】
以下に、カメラ制御方法について説明する。
図１２は、本発明の実施の形態６におけるカメラ制御方法を説明するためのフローチャートである。
プライバシー保護を希望する者は、予め申請して認証専用の非接触読み取りカードを受け取っておき、カメラによって撮影される可能性がある場合に、このカードを携帯する。このカードはカメラ近傍に設置された認証入力部１１０２に対し認証入力情報であるＩＤを送信する。
【００９３】
認証制御部１１０３は、認証入力部１１０２に認証入力情報が入力されたか否かを判断する（ステップ１２０１）。認証入力情報が入力された場合は、記録再生制御部１１０６に、認証状況記録部１１０４への認証状況の記録を開始させる（ステップ１２０２）。ここで認証状況とは、どのカメラに対しどんな認証入力情報の入力があったかを示し、例えば、カメラ番号、日時、入力された認証入力情報等である。
【００９４】
次に、認証制御部１１０３は、入力された認証入力情報が再入力か否かを判断する（ステップ１２０３）。再入力でない場合は、入力された認証入力情報と認証登録部１１０７に登録されている認証登録情報を比較して（ステップ１２０４）、認証入力情報と認証登録情報とが一致するかどうかを判断し（ステップ１２０５）、認証入力情報と認証登録情報が一致すれば、認証入力情報が認証されたとして、カメラ制御部１１０５に、モニタ１１０９への映像信号の出力を停止させて（ステップ１２０６）、モニタ１１０９へ代替映像信号を出力させ（ステップ１２０７）、記録再生制御部１１０６への映像信号の出力を停止させて（ステップ１２０８）、記録再生制御部１１０６へ代替映像信号を出力させる（ステップ１２０９）。再入力である場合は、ステップ１２１２に進み、認証状況の記録を停止させ、ステップ１２１３でモニタ１１０９への代替映像信号の出力を停止させ、ステップ１２１４でモニタ１１０９への映像信号の出力を再開させ、さらにステップ１２１５で記録再生制御部１１０６への代替映像信号の出力を停止させ、ステップ１２１６で記録再生制御部１１０６への映像信号の出力を再開させた後、ステップ１２０１の認証入力情報の入力確認処理に戻る。
【００９５】
また、ステップ１２０５において、認証入力情報と認証登録情報とが一致しないと判断した場合には、認証制御部１１０３は、認証状況の記録を停止させ（ステップ１２１２）、その後、モニタ１１０９への代替映像信号の出力を停止させて（ステップ１２１３）、モニタ１１０９への映像信号の出力を再開させ（ステップ１２１４）、記録再生制御部１１０６への代替映像信号の出力を停止させて（ステップ１２１５）、記録再生制御部１１０６への映像信号の出力を再開させる（ステップ１２１６）。
【００９６】
また、ステップ１２０１において認証入力情報が入力されてないと判断した場合には、認証制御部１１０３は、現在認証状況の記録中であるかどうか、すなわちプライバシー保護の為の映像出力制御が行なわれているか否かを判断する（ステップ１２１０）。認証状況の記録中でない場合は再度ステップ１２０１の認証入力情報の入力確認処理に戻る。
【００９７】
ステップ１２１０において、現在認証状況の記録中である、すなわちプライバシー保護の為の映像出力制御が行なわれていると判断した場合には、認証制御部１１０３は、前回認証入力情報が入力されてから一定時間が経過したか否かを判断し（ステップ１２１１）、一定時間が経過していない場合には、再度ステップ１２０１の認証入力情報の入力確認処理に戻る。一定時間が経過している場合には、ステップ１２１２に進み、認証状況の記録を停止させ、ステップ１２１３でモニタ１１０９への代替映像信号の出力を停止させ、ステップ１２１４でモニタ１１０９への映像信号の出力を再開させ、さらにステップ１２１５で記録再生制御部１１０６への代替映像信号の出力を停止させ、ステップ１２１６で記録再生制御部１１０６への映像信号の出力を再開させた後、ステップ１２０１の認証入力情報の入力確認処理に戻る。
【００９８】
このように、本実施の形態６によるカメラ制御装置、及びカメラ制御方法は、認証入力部１１０２に入力された認証入力情報と認証登録部１１０７に登録されている認証登録情報とを比較し、両者が一致した場合に、カメラ部１１０１からの映像信号を記録再生制御部１１０６及びモニタ１１０９に出力するのを停止し、カメラ部１１０１からの映像信号を別の映像信号である代替映像信号に差し替えて記録再生制御部１１０６及びモニタ１１０９に出力するとともに、そのときの認証状況を認証状況記録部１１１０４に記録するようにしたので、被写体のプライバシーを保護すると同時に、撮影側のセキュリティを確保することができる。
【００９９】
なお、上記実施の形態１及び２では、キーを用いてＩＤ及びパスワードを入力することで認証入力情報を入力するものとしたが、非接触読み取りのカードを用いるようにしてもよい。
【０１００】
また、上記実施の形態３ないし６では、非接触読み取りのカードを用いて認証入力情報を入力するものとしたが、キーを用いてＩＤ及びパスワードを入力するようにしてもよい。
【０１０１】
また、上記実施の形態５及び６では、モニタ及び記録部への映像出力を停止したり差し替えたりするようにしたが、記録部への映像出力のみについて停止、あるいは差し替えを行い、モニタによる映像信号の監視は継続するようにしてもよい。
【０１０２】
また、上記実施の形態１ないし６において、認証状況記録部を記録部内に設けるようにしてもよい。
【０１０３】
また、認証入力情報は、声紋認証や、顔貌認証、虹彩認証、指紋認証、掌紋認証、網膜認証等のいずれか１つ、または２つ以上の組み合わせからなる個体認証としてもよく、さらに、非接触読み取りによるＩＤ入力、キーボードによるＩＤとパスワードの入力、個体認証のうちの２つ以上を組み合わせるようにしてもよい。
【０１０４】
また、上記実施の形態１ないし６における、ＩＤカードの発行は、プライバシーの保護を希望する者がクレジットカードや免許証などの身分証明書を呈示し、認証登録情報として、ＩＤ、名前、及び身分証明情報（例えば、身分証明証が免許証の場合は免許証番号、クレジットカードであればカード会社名及びカード番号等）を登録し、その認証登録情報に基づいた認証入力情報を格納した非接触読み取り可能な、あるいはその他のタイプのＩＤカードを発行するようにすればよい。この発行したカードについては、該カードを当人がその後も継続して所持するものとしてもよいが、カードが必要となる毎にカードを発行し、使用後に返却するようにしてもよい。例えば、店舗で使用される際には、プライバシーの保護を希望する客が店舗入口でクレジットカードを呈示することで認証登録を行ない、ＩＤカードを受け取って店内での認証入力に使用し、帰る際に出口にてそのＩＤカードを返却するようにする。したがって、客は余分なカードを持つ必要がなくなり、多くのカードを携帯することの煩わしさを軽減することができる上、客には何ら負担を感じさせることなくプライバシーを保護することができる。
【０１０５】
また、クレジットカードやキャッシュカード等の汎用のカード自体が、非接触読み取り機能を付加できる構成のものであって、上記実施の形態１ないし６における認証のための、非接触読み取り機能を該汎用のカード内に組み込むようにしてもよい。この場合、被写体は認証のために別途独立のカードを持つ必要がなく、携帯するカードの数が増えなくて済むこととなる。
【０１０６】
【発明の効果】
以上のように、本発明の請求項１に係るカメラ制御装置によれば、被写体の意思を反映させたカメラ制御を行うカメラ制御装置であって、カメラによる撮影拒否を希望するか否かの情報を含む認証入力情報を入力する認証入力手段と、カメラによる撮影を拒否する被写体の認証登録情報が予め登録されている認証登録手段と、上記認証入力手段で入力された認証入力情報と上記認証登録手段に登録されている認証登録情報とを比較し、該認証入力情報がカメラによる撮影を拒否する被写体のものであるか否かを判断する認証制御手段と、上記認証制御手段にて上記認証入力情報がカメラによる撮影を拒否する被写体のものであると判断された場合に、上記カメラ手段からの映像信号の出力を制御するカメラ制御手段と、上記カメラ手段から出力された映像信号を記録する記録手段と、上記認証入力手段に入力された認証入力情報の認証状況を記録する認証状況記録手段と、を備えたので、被写体の認証情報を入力することにより、認証状況を制御し、認証状況を記録することができ、被写体のプライバシーを保護できると同時に、撮影側のセキュリティを確保することができるという効果がある。
【０１０７】
また、本発明の請求項２に係るカメラ制御装置によれば、被写体の意思を反映させたカメラ制御を行うカメラ制御装置において、カメラによる撮影拒否を希望するか否かの情報を含む認証入力情報を入力する認証入力手段と、カメラによる撮影を拒否する被写体の認証登録情報が予め登録されている認証登録手段と、上記認証入力手段で入力された認証入力情報と上記認証登録手段に登録されている認証登録情報とを比較し、該認証入力情報がカメラによる撮影を拒否する被写体のものであるか否かを判断する認証制御手段と、上記認証制御手段にて上記認証入力情報がカメラによる撮影を拒否する被写体のものであると判断された場合に、上記カメラ手段からの映像信号の出力を制御するカメラ制御手段と、上記カメラ手段から出力された映像信号を表示するモニタと、上記カメラ手段から出力された映像信号を記録する記録手段と、上記認証入力手段に入力された認証入力情報の認証状況を記録する認証状況記録手段と、を備えたので、被写体のプライバシーを保護すると同時に、撮影側のセキュリティを確保することができるという効果がある。
【０１０８】
また、本発明の請求項３に係るカメラ制御装置によれば、請求項１に記載のカメラ制御装置において、上記カメラ制御手段は、上記認証制御手段にて上記認証入力情報がカメラによる撮影を拒否する被写体のものであると判断された場合に、上記カメラ手段から上記記録手段への映像信号の出力を停止するようにしたので、被写体のプライバシーを保護すると同時に、撮影側のセキュリティを確保することができるという効果がある。
【０１０９】
また、本発明の請求項４に係るカメラ制御装置によれば、請求項１に記載のカメラ制御装置において、上記カメラ制御手段は、上記認証制御手段にて上記認証入力情報がカメラによる撮影を拒否する被写体のものであると判断された場合に、上記カメラ手段から上記記録手段への映像信号の出力を別の映像信号に差し替えるものとしたので、被写体のプライバシーを保護すると同時に、撮影側のセキュリティを確保することができるという効果がある。
【０１１０】
また、本発明の請求項５に係るカメラ制御装置によれば、請求項２に記載のカメラ制御装置において、上記カメラ制御手段は、上記認証制御手段にて上記認証入力情報がカメラによる撮影を拒否する被写体のものであると判断された場合に、上記カメラ手段から上記モニタへの映像信号の出力を停止するものとしたので、被写体のプライバシーを保護すると同時に、撮影側のセキュリティを確保することができるという効果がある。
【０１１１】
また、本発明の請求項６に係るカメラ制御装置によれば、請求項２に記載のカメラ制御装置において、上記カメラ制御手段は、上記認証制御手段にて上記認証入力情報がカメラによる撮影を拒否する被写体のものであると判断された場合に、上記カメラ手段から上記モニタへの映像信号の出力を、別の映像信号に差し替えるものとしたので、被写体のプライバシーを保護すると同時に、撮影側のセキュリティを確保することができるという効果がある。
【０１１２】
また、本発明の請求項７に係るカメラ制御装置によれば、請求項５に記載のカメラ制御装置において、上記認証制御手段にて上記認証入力情報がカメラによる撮影を拒否する被写体のものであると判断された場合に、上記カメラ手段から上記記録手段への映像信号の出力を停止するものとしたので、被写体のプライバシーを保護すると同時に、撮影側のセキュリティを確保することができるという効果がある。
【０１１３】
また、本発明の請求項８に係るカメラ制御装置によれば、請求項６に記載のカメラ制御装置において、上記認証制御手段にて上記認証入力情報がカメラによる撮影を拒否する被写体のものであると判断された場合に、上記カメラ手段から上記記録手段への映像信号の出力を別の映像信号に差し替えるものとしたので、被写体のプライバシーを保護すると同時に、撮影側のセキュリティを確保することができるという効果がある。
【０１１４】
また、本発明の請求項９に係るカメラ制御装置によれば、請求項１、または請求項２に記載のカメラ制御装置において、上記認証状況記録手段は、上記認証制御手段にて上記認証入力情報がカメラによる撮影を拒否する被写体のものであると判断された場合に、上記認証状況の記録を行うものとしたので、被写体のプライバシーを保護すると同時に、撮影側のセキュリティを確保することができるという効果がある。
【０１１５】
また、本発明の請求項１０に係るカメラ制御装置によれば、請求項１、または請求項２に記載のカメラ制御装置において、上記認証入力手段は、キー入力により上記認証入力情報を入力するものとしたので、被写体のプライバシーを保護すると同時に、撮影側のセキュリティを確保することができるという効果がある。
【０１１６】
また、本発明の請求項１１に係るカメラ制御装置によれば、請求項１、または請求項２に記載のカメラ制御装置において、上記認証入力手段は、非接触読み取りにより上記認証入力情報を入力するものとしたので、カメラの撮影を拒否する被写体のプライバシーの保護をより簡単に実現することができる。
【０１１７】
また、本発明の請求項１２に係るカメラ制御装置によれば、請求項１、または請求項２に記載のカメラ制御装置において、上記認証入力手段は、個体認証により上記認証入力情報を入力するものとしたので、カメラの撮影を拒否する被写体のプライバシーの保護をより簡単に実現することができる。
【０１１８】
また、本発明の請求項１３に係るカメラ制御装置によれば、請求項１、または請求項２に記載のカメラ制御装置において、上記認証入力手段は、非接触読み取りによる入力、キー入力、及び個体認証による入力のうちの、いずれか２つ以上の組み合わせを用いて上記認証入力情報を入力するものとしたので、より正確に認証を行なうことができるという効果がある。
【０１１９】
また、本発明の請求項１４に係るカメラ制御装置によれば、請求項１１に記載のカメラ制御装置において、上記認証入力情報は、認証専用のカードに格納されたものであるので、カメラの撮影を拒否する被写体のプライバシーの保護をより簡単に実現することができる。
【０１２０】
また、本発明の請求項１５に係るカメラ制御装置によれば、請求項１１に記載のカメラ制御装置において、上記認証入力情報は、汎用のカードに格納されたものであるので、カメラの撮影を拒否する被写体のプライバシーの保護をより簡単に実現することができる。
【０１２１】
また、本発明の請求項１６に係るカメラ制御装置によれば、請求項１２、または請求項１３に記載のカメラ制御装置において、上記個体認証は、声紋認証であるものとしたので、カメラの撮影を拒否する被写体のプライバシーの保護をより簡単に実現することができる。
【０１２２】
また、本発明の請求項１７に係るカメラ制御装置によれば、請求項１２、または請求項１３に記載のカメラ制御装置において、上記個体認証は、顔貌認証であるものとしたので、カメラの撮影を拒否する被写体のプライバシーの保護をより簡単に実現することができる。
【０１２３】
また、本発明の請求項１８に係るカメラ制御装置によれば、請求項１２、または請求項１３に記載のカメラ制御装置において、上記個体認証は、虹彩認証であるものとしたので、カメラの撮影を拒否する被写体のプライバシーの保護をより簡単に実現することができる。
【０１２４】
また、本発明の請求項１９に係るカメラ制御装置によれば、請求項１２、または請求項１３に記載のカメラ制御装置において、上記個体認証は、指紋認証であるものとしたので、カメラの撮影を拒否する被写体のプライバシーの保護をより簡単に実現することができる。
【０１２５】
また、本発明の請求項２０に係るカメラ制御装置によれば、請求項１２、または請求項１３に記載のカメラ制御装置において、上記個体認証は、掌紋認証であるものとしたので、カメラの撮影を拒否する被写体のプライバシーの保護をより簡単に実現することができる。
【０１２６】
また、本発明の請求項２１に係るカメラ制御装置によれば、請求項１２、または請求項１３に記載のカメラ制御装置において、上記個体認証は、網膜認証であるものとしたので、カメラの撮影を拒否する被写体のプライバシーの保護をより簡単に実現することができる。
【０１２７】
また、本発明の請求項２２に係るカメラ制御装置によれば、請求項１２、または請求項１３に記載のカメラ制御装置において、上記個体認証は、声紋認証、顔貌認証、虹彩認証、指紋認証、掌紋認証、及び網膜認証のうちの、いずれか２つ以上の組み合わせによるものであるので、より正確に認証を行なうことができるという効果がある。
【０１２８】
また、本発明の請求項２３に係るカメラ制御装置によれば、請求項１、または請求項２に記載のカメラ制御装置において、上記認証入力情報は、予め上記認証登録手段に登録されることにより、半永久的に使用可能なものであるものとしたので、カメラの撮影を拒否する被写体のプライバシーの保護をより簡単に実現することができる。
【０１２９】
また、本発明の請求項２４に係るカメラ制御装置によれば、請求項１、または請求項２に記載のカメラ制御装置において、上記認証入力情報が、身分証明呈示によって上記認証登録手段に一時的に登録されることにより、一時的に使用可能なものであるものとしたので、カメラの撮影を拒否する被写体のプライバシーの保護をより簡単に実現することができる。
【０１３０】
また、本発明の請求項２５に係るカメラ制御方法によれば、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、認証状況の記録を開始し、該認証入力情報がカメラによる撮影を拒否する被写体のものである場合、該認証入力情報を認証し、上記カメラにより撮影された映像信号の記録を停止し、該認証入力情報がカメラによる撮影を拒否する被写体のものでない場合、上記認証状況の記録を停止し、上記カメラにより撮影された映像信号を記録するようにしたので、被写体のプライバシーを保護すると同時に、撮影側のセキュリティを確保することができるという効果がある。
【０１３１】
また、本発明の請求項２６に係るカメラ制御方法によれば、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号を別の映像信号に差し替えて記録し、該認証入力情報がカメラによる撮影を拒否する被写体のものでない場合、上記認証状況の記録を停止し、上記カメラにより撮影された映像信号を記録するようにしたので、被写体のプライバシーを保護すると同時に、撮影側のセキュリティを確保することができるという効果がある。
【０１３２】
また、本発明の請求項２７に係るカメラ制御方法によれば、被写体の意思を反映させたカメラ制御を行うカメラ制御方法において、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号のモニタ表示を停止し、該認証入力情報がカメラによる撮影を拒否する被写体のものでない場合、認証状況の記録を停止し、上記カメラにより撮影された映像信号をモニタ表示するようにしたので、被写体のプライバシーを保護すると同時に、撮影側のセキュリティを確保することができるという効果がある。
【０１３３】
また、本発明の請求項２８に係るカメラ制御方法によれば、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号を別の映像信号に差し替えてモニタ表示し、該認証入力情報がカメラによる撮影を拒否する被写体のものでない場合、上記認証状況の記録を停止し、上記カメラにより撮影された映像信号をモニタ表示するようにしたので、被写体のプライバシーを保護すると同時に、撮影側のセキュリティを確保することができるという効果がある。
【０１３４】
また、本発明の請求項２９に係るカメラ制御方法によれば、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号のモニタ表示、及び記録を停止し、該認証入力情報がカメラによる撮影を拒否する被写体のものでない場合、上記認証状況の記録を停止し、上記カメラにより撮影された映像信号のモニタ表示、及び記録を行うようにしたので、被写体のプライバシーを保護すると同時に、撮影側のセキュリティを確保することができるという効果がある。
【０１３５】
また、本発明の請求項３０に係るカメラ制御方法によれば、被写体の意思を反映させたカメラ制御を行うカメラ制御方法であって、カメラによる撮影を拒否する被写体の認証登録情報を予め登録し、カメラによる撮影拒否を希望するか否かの情報を含む認証入力情報が入力されると、該認証入力情報と上記認証登録情報を比較するとともに、上記認証入力情報の認証状況の記録を開始し、該認証入力情報がカメラによる撮影を拒否する被写体のものである場合、該認証入力情報を認証し、上記カメラにより撮影された映像信号を別の映像信号に差し替えてモニタ表示、及び記録を停止し、該認証入力情報がカメラによる撮影を拒否する被写体のものでない場合、上記認証状況の記録を停止し、上記カメラにより撮影された映像信号のモニタ表示、及び記録を行うようにしたので、被写体のプライバシーを保護すると同時に、撮影側のセキュリティを確保することができるという効果がある。
【図面の簡単な説明】
【図１】本発明の実施の形態１におけるカメラ制御装置のブロック図である。
【図２】本発明の実施の形態１におけるカメラ制御方法を説明するためのフローチャートである。
【図３】本発明の実施の形態２におけるカメラ制御装置のブロック図である。
【図４】本発明の実施の形態２におけるカメラ制御方法を説明するためのフローチャートである。
【図５】本発明の実施の形態３におけるカメラ制御装置のブロック図である。
【図６】本発明の実施の形態３におけるカメラ制御方法を説明するためのフローチャートである。
【図７】本発明の実施の形態４におけるカメラ制御装置のブロック図である。
【図８】本発明の実施の形態４におけるカメラ制御方法を説明するためのフローチャートである。
【図９】本発明の実施の形態５におけるカメラ制御装置のブロック図である。
【図１０】本発明の実施の形態５におけるカメラ制御方法を説明するためのフローチャートである。
【図１１】本発明の実施の形態６におけるカメラ制御装置のブロック図である。
【図１２】本発明の実施の形態６におけるカメラ制御方法を説明するためのフローチャートである。
【図１３】従来のカメラ制御装置のブロック図である。
【符号の説明】
１０１，３０１，５０１，７０１，９０１，１１０１  カメラ部
１０２，３０２，５０２，７０２，９０２，１１０２  認証入力部
１０３，３０３，５０３，７０３，９０３，１１０３  認証制御部
１０４，３０４，５０４，７０４，９０４，１１０４  認証状況記録部
１０５，３０５，５０５，７０５，９０５，１１０５  カメラ制御部
１０６，３０６，５０６，７０６，９０６，１１０６  記録再生制御部
１０７，３０７，５０７，７０７，９０７，１１０７  認証登録部
１０８，３０８，５０８，７０８，９０８，１１０８  記録部
５０９，７０９，９０９，１１０９  モニタ
１３００  カメラ
１３０１  回転台
１３０３  カメラ制御回路
１３０４  マイク
１３０５  音声認識装置
１３０６  コンピュータ・ネットワーク
１３０７，１３０８  コンピュータ
１３０９，１３１０  モニタ
【図１】
2004236134.tif 000003
【図２】
2004236134.tif 000004
【図３】
2004236134.tif 000005
【図４】
2004236134.tif 000006
【図５】
2004236134.tif 000007
【図６】
2004236134.tif 000008
【図７】
2004236134.tif 000009
【図８】
2004236134.tif 000010
【図９】
2004236134.tif 000011
【図１０】
2004236134.tif 000012
【図１１】
2004236134.tif 000013
【図１２】
2004236134.tif 000014
【図１３】
2004236134.tif 000015